(57)【要約】【課題】液晶表示パネルの面内温度分布が発生する状態においても、表示画像の画質劣化を抑制することが可能な液晶表示装置を提供する。【解決手段】液晶表示パネル４を用いて、画像を表示する液晶表示装置であって、前記液晶表示パネル４の複数領域Ａ〜Ｄの各々における温度を検出するための温度センサー１６ａ〜１６ｄと、前記液晶表示パネルの複数領域Ａ〜Ｄにおける検出温度データａ〜ｄに対して所定の演算を施すことにより、切替制御信号を生成する制御ＣＰＵ１７と、前記制御ＣＰＵ１７により生成された切替制御信号と、入力画像信号の１垂直表示期間前後における階調遷移の組み合わせとに応じて、入力画像信号の強調変換を行うことにより、前記液晶表示パネル４の光学応答特性を補償する強調変換信号を求める強調変換部２２とを備えたものである。【選択図】  図１
2004163870.tif 000002
【特許請求の範囲】
【請求項１】
液晶表示パネルを用いて、画像を表示する液晶表示装置であって、
前記液晶表示パネルの複数領域の各々における温度を検出するための温度検出手段と、
前記液晶表示パネルの複数領域における検出温度データに対して所定の演算を施すことにより、制御信号を生成する制御手段と、
前記制御手段により生成された制御信号と、入力画像信号の１垂直表示期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする液晶表示装置。
【請求項２】
前記請求項１に記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、
前記制御手段により生成された制御信号に基づいて、前記複数の変換テーブルメモリのうちの一つを選択的に切換える切換部とを有し、
前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする液晶表示装置。
【請求項３】
前記請求項１に記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、
前記制御手段により生成された制御信号に基づいて、前記複数の参照テーブル領域のうちの一つを選択的に切換える切換部とを有し、
前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする液晶表示装置。
【請求項４】
前記請求項１に記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための強調変換パラメータを記憶した変換テーブルメモリと、
前記強調変換パラメータを用いて求められた強調変換信号から前記入力画像信号を減算する減算器と、
前記制御手段により生成された制御信号に基づいて可変制御される重み係数ｋを、前記減算器の出力信号に積算する乗算器と、
前記乗算器の出力信号を、前記入力画像信号に加算する加算器とを有し、
前記加算器の出力信号を、書込階調信号として前記液晶表示パネルに供給することを特徴とする液晶表示装置。
【請求項５】
前記請求項１乃至４のいずれかに記載の液晶表示装置において、
前記制御手段は、前記複数の温度検出手段による検出温度データの平均値と所定の閾値温度データとを比較することによって、前記制御信号を生成することを特徴とする液晶表示装置。
【請求項６】
前記請求項１乃至４のいずれかに記載の液晶表示装置において、
前記制御手段は、前記複数の温度検出手段による検出温度データの最大値と所定の閾値温度データとを比較することによって、前記制御信号を生成することを特徴とする液晶表示装置。
【請求項７】
前記請求項１乃至４のいずれかに記載の液晶表示装置において、
前記制御手段は、前記複数の温度検出手段による検出温度データの最小値と所定の閾値温度データとを比較することによって、前記制御信号を生成することを特徴とする液晶表示装置。
【請求項８】
前記請求項１乃至４のいずれかに記載の液晶表示装置において、
前記制御手段は、前記複数の温度検出手段による検出温度データの最大度数データと所定の閾値温度データとを比較することによって、前記制御信号を生成することを特徴とする液晶表示装置。
【請求項９】
前記請求項１乃至４のいずれかに記載の液晶表示装置において、
前記制御手段は、前記複数の温度検出手段による検出温度データの加重平均値と所定の閾値温度データとを比較することによって、前記制御信号を生成することを特徴とする液晶表示装置。
【請求項１０】
前記請求項９に記載の液晶表示装置において、
前記入力画像信号の特徴量を検出する特徴量検出手段を設け、
前記制御手段は、前記特徴量検出手段により検出された特徴量に基づいて、前記複数の温度検出手段による検出温度データの加重平均値を求めることを特徴とする液晶表示装置。
【請求項１１】
前記請求項９に記載の液晶表示装置において、
当該装置の設置状態を検出する設置状態検出手段を設け、
前記制御手段は、前記設置状態検出手段により検出された設置状態に基づいて、前記複数の温度検出手段による検出温度データの加重平均値を求めることを特徴とする液晶表示装置。
【請求項１２】
前記請求項９に記載の液晶表示装置において、
ユーザによる指示入力を検出するユーザ指示検出手段を設け、
前記制御手段は、前記ユーザ指示検出手段により検出されたユーザ指示に基づいて、前記複数の温度検出手段による検出温度データの加重平均値を求めることを特徴とする液晶表示装置。
【請求項１３】
前記請求項１乃至４のいずれかに記載の液晶表示装置において、
前記制御手段は、前記複数の温度検出手段による検出温度データから抽出した所定の温度検出手段による検出温度データと所定の閾値温度データとを比較することによって、前記制御信号を生成することを特徴とする液晶表示装置。
【請求項１４】
前記請求項１３に記載の液晶表示装置において、
前記入力画像信号の特徴量を検出する特徴量検出手段を設け、
前記制御手段は、前記特徴量検出手段により検出された特徴量に基づいて、前記複数の温度検出手段による検出温度データから、所定の温度検出手段による検出温度データのみを抽出することを特徴とする液晶表示装置。
【請求項１５】
前記請求項１３に記載の液晶表示装置において、
当該装置の設置状態を検出する設置状態検出手段を設け、
前記制御手段は、前記設置状態検出手段により検出された設置状態に基づいて、前記複数の温度検出手段による検出温度データから、所定の温度検出手段による検出温度データのみを抽出することを特徴とする液晶表示装置。
【請求項１６】
前記請求項１３に記載の液晶表示装置において、
ユーザによる指示入力を検出するユーザ指示検出手段を設け、
前記制御手段は、前記ユーザ指示検出手段により検出されたユーザ指示に基づいて、前記複数の温度検出手段による検出温度データから、所定の温度検出手段による検出温度データのみを抽出することを特徴とする液晶表示装置。
【請求項１７】
前記請求項１乃至１６のいずれかに記載の液晶表示装置において、
前記温度検出手段は、任意の数の温度センサーによる検出温度に所定の演算を施すことによって、前記液晶表示パネルの複数領域の各々における温度を求めることを特徴とする液晶表示装置。
【請求項１８】
前記請求項１７に記載の液晶表示装置において、
前記温度検出手段は、当該装置の電源投入後の経過時間に応じて、前記温度センサーによる検出温度に施す演算を可変することを特徴とする液晶表示装置。
【請求項１９】
前記請求項１７に記載の液晶表示装置において、
前記温度検出手段は、当該装置内外の温度に応じて、前記温度センサーによる検出温度に施す演算を可変することを特徴とする液晶表示装置。
【発明の詳細な説明】
【０００１】
【発明の属する技術分野】
本発明は、液晶表示パネルを用いて画像を表示する液晶表示装置に関し、特に液晶表示パネルの光学応答特性を改善することが可能な液晶表示装置に関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ ＬＣＤが主に用いられている。
【０００４】
最近は、ＬＣＤがコンピュータのディスプレイ装置だけでなく、テレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている。以下、本願明細書においては、この駆動方式をオーバーシュート（ＯＳ）駆動と定義する。
【０００６】
従来のオーバーシュート駆動回路の概略構成を図１９に示す。すなわち、これから表示するＮ番目のフレームの入力画像データ（Current Data）と、フレームメモリ１に保存されたＮ−１番目のフレームの入力画像データ(Previous Data)とを強調変換部２に読み出し、両データの階調遷移パターンとＮ番目のフレームの入力画像データとを、ＯＳテーブルメモリ（ＲＯＭ）３に保存されている付加電圧データ一覧表と照合し、照合して見つけ出した印加電圧データ（強調変換パラメータ）に基づいてＮ番目のフレームの画像表示に要する書込階調信号（強調変換信号）を決定し、液晶表示パネル４に印加する。ここでは、強調変換部２とＯＳテーブルメモリ３とにより書込階調決定手段を構成している。
【０００７】
ここで、上述のＯＳテーブルメモリ３に格納されている印加電圧データ（強調変換パラメータ）は、液晶表示パネル４の光学応答特性の実測値から予め得られるものであり、例えば表示信号レベル数すなわち表示データ数が８ビットの２５６階調である場合、図２０に示すように、２５６の全ての階調に対する印加電圧データを持っていても良いし、例えば６４階調毎の５つの代表階調、３２階調毎の９つの代表階調についての実測値のみを記憶しておき、その他の印加電圧データについては、上記実測値から線形補完等の演算で求めるようにしても良い。
【０００８】
一般的に液晶表示パネルにおいては、ある中間調から別の中間調に変更させる時間は長く、中間調を１フレーム期間（例えば60Hzのプログレッシブスキャンの場合は16.7msec）内に表示することができず、残像が発生するだけでなく、中間調を正しく表示することができないという課題があったが、上述のオーバーシュート駆動回路を用いることにより、図２１に示すように、目標の中間調を短時間で表示することが可能となる。
【０００９】
さらに、液晶の応答速度は温度依存性が非常に大きいことが知られており、液晶パネルの温度が変化しても、これに対応して表示品位を損なうことなく常に階調変化の応答速度を最適な状態に制御する液晶パネル駆動装置が、例えば特開平４−３１８５１６号公報に記載されている。
【００１０】
これは、表示用デジタル画像データを１フレーム分記憶するＲＡＭと、液晶パネルの温度を検知する温度センサと、上記デジタル画像データと上記ＲＡＭから１フレーム遅れて読出される画像データとを比較し、今回の画像データが１フレーム前の画像データに比して変化した際に今回の画像データを該変化方向に上記温度センサの検知温度に応じて強調変換するデータ変換回路とを備え、このデータ変換回路から出力される画像データに基づいて上記液晶パネルを表示駆動するものである。
【００１１】
すなわち、温度センサが検知する液晶パネルの温度を例えば３段階の値Ｔｈ，Ｔｍ，Ｔｌ（Ｔｈ＞Ｔｍ＞Ｔｌ）とし、これに対応してＡ／Ｄ変換器がデータ変換回路に出力するモード信号をＭｈ，Ｍｍ，Ｍｌとして、また、データ変換回路のＲＯＭには、今回の画像データと１フレーム遅れた画像データとを指定アドレスとする画像データのテーブルをモード信号の数「３」だけ予め記憶設定しておくことで、入力されるモード信号に応じたテーブルが選択され、そのテーブル中の今回の画像データと１フレーム遅れた画像データを指定アドレスとするアドレス位置に書込まれている画像データを読出し、液晶パネルの駆動回路に出力する。
【００１２】
【特許文献１】
特開平４−３６５０９４号公報
【特許文献２】
特開２００２−６２８５０号公報
【特許文献３】
特開平４−３１８５１６号公報
【００１３】
【発明が解決しようとする課題】
ところで、例えば直下型バックライト方式の液晶表示装置の背面から見た概略構成例を図２２に示す。図２２において、４は液晶表示パネル、１１は液晶表示パネル４を背面から照射するための蛍光ランプ、１２は蛍光ランプ１１を点灯駆動するためのインバータトランス、１３は電源ユニット、１４は映像処理回路基板、１５は音声処理回路基板、１６は温度センサーである。
【００１４】
ここで、液晶表示パネル４の応答速度特性に大きな影響を及ぼす発熱作用をもつのは、蛍光ランプ１１の電極部、インバータトランス１２、電源ユニット１３である。一方、温度センサー１６は、その本来の目的から液晶表示パネル４内に設けることが望ましいが、これは困難であるため、回路基板などの他部材に取り付ける必要がある。
【００１５】
そこで、各構成部材１１〜１５を例えば図２２に示すような配置とした場合、インバータトランス１２、電源ユニット１３の発熱作用の影響を最も受け難い音声処理回路基板１５に温度センサー１６を取り付けて、この温度センサー１６の検出出力を、映像処理回路基板１４に設けられたオーバーシュート駆動回路で利用することになる。
【００１６】
また、図２３（ａ）に示すような、コの字状の蛍光ランプ１１を用いた直下型バックライト方式の液晶表示装置、図２３（ｂ）に示すような、Ｌ字状の蛍光ランプ１１を用いたサイドエッジ型バックライト方式の液晶表示装置などにおいても、蛍光ランプ１１の電極部、この蛍光ランプ１１を点灯駆動するためのインバータトランスが後背部に位置する液晶表示パネル４の一部領域では温度上昇が大きく、図２３中ハッチングで示した領域に比べてその他の領域の方が温度が高くなる。
【００１７】
ここで、従来の液晶表示装置においては、単一の温度センサー１６による検出温度を液晶表示パネル４面全体の温度と見なして、これに基づき強調変換パラメータを切り替えて入力画像信号のオーバーシュート駆動を行っているが、上述のとおり、実際には発熱作用を持つ部材の配置位置によって、液晶表示パネル４の面内温度分布が発生することとなる。
【００１８】
すなわち、温度センサー１６の検出温度に比べて実際の温度が異なる液晶表示パネル４の一部領域においては、過小又は過大な印加電圧データ（強調変換信号）が供給されることになり、黒尾引きや画素の白点化が発生して、表示画像の画質を著しく劣化させてしまうという問題があった。
【００１９】
同様に、当該液晶表示装置が、例えばエアコンの吹き出し風が当たる場所や、日だまりの直射日光が当たる場所に設置された場合、液晶表示パネル４の一部領域のみ温度が下がったり上がったりして、液晶表示パネル４の面内温度分布が発生し、一部領域で過大な印加電圧データ（強調変換信号）が液晶表示パネル４に供給されて、白点が発生したり、過小の印加電圧データ（強調変換信号）が液晶表示パネル４に供給されて、黒尾引きが発生するなど（ノーマリーブラックモードの場合）、表示画像の画質を著しく劣化させてしまう。この設置場所による液晶表示パネル４の面内温度分布の問題は、特に表示画面サイズが大型化した場合に顕著となる。
【００２０】
さらに、上述した従来の液晶表示装置においては、図２４（ａ）に示す通常設置状態（スタンド設置状態）においてインバータトランス１２、電源ユニット１３等の他部材による発熱作用を最も受けにくい場所に温度センサー１６を設けているが、例えば図２４（ｂ）に示すような上下反転設置状態（天井吊下げ状態）や、図２４（ｃ）に示すような９０度回転設置状態（画面縦横切替え状態）とした場合、熱気流の経路が変わるため、温度センサー１６は他部材による発熱作用の影響を大きく受けることとなり、液晶表示パネル４の温度を正確に検出することができなくなる。
【００２１】
その結果、液晶表示パネル４の実際の温度に対応した正しい印加電圧データ（強調変換信号）を液晶表示パネル４に供給することができなくなり、過小の印加電圧データ（強調変換信号）が液晶表示パネル４に供給されて、黒尾引きが発生したり、過大な印加電圧データ（強調変換信号）が液晶表示パネル４に供給されて、白点が発生するなど（ノーマリーブラックモードの場合）、表示画像の画質を著しく劣化させてしまうという問題があった。
【００２２】
本発明は、上記課題に鑑みてなされたものであり、液晶表示パネルの面内温度分布が発生する状態においても、表示画像の画質劣化を抑制することが可能な液晶表示装置を提供するものである。
【００２３】
【課題を解決するための手段】
本願の第１の発明は、液晶表示パネルを用いて、画像を表示する液晶表示装置であって、前記液晶表示パネルの複数領域の各々における温度を検出するための温度検出手段と、前記液晶表示パネルの複数領域における検出温度データに対して所定の演算を施すことにより、制御信号を生成する制御手段と、前記制御手段により生成された制御信号と、入力画像信号の１垂直表示期間前後における階調遷移の組み合わせとに応じて、入力画像信号の強調変換を行うことにより、前記液晶表示パネルの光学応答特性を補償する強調変換信号を求める書込階調決定手段とを備えたことを特徴とする。
【００２４】
本願の第２の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、前記制御手段により生成された制御信号に基づいて、前記複数の変換テーブルメモリのうちの一つを選択的に切換える切換部とを有し、前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする。
【００２５】
本願の第３の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、前記制御手段により生成された制御信号に基づいて、前記複数の参照テーブル領域のうちの一つを選択的に切換える切換部とを有し、前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする。
【００２６】
本願の第４の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための強調変換パラメータを記憶した変換テーブルメモリと、前記強調変換パラメータを用いて求められた強調変換信号から前記入力画像信号を減算する減算器と、前記制御手段により生成された制御信号に基づいて可変制御される重み係数ｋを、前記減算器の出力信号に積算する乗算器と、前記乗算器の出力信号を、前記入力画像信号に加算する加算器とを有し、前記加算器の出力信号を、書込階調信号として前記液晶表示パネルに供給することを特徴とする。
【００２７】
本願の第５の発明は、前記制御手段が、前記複数の温度検出手段による検出温度データの平均値と所定の閾値温度データとを比較することによって、前記制御信号を生成することを特徴とする。
【００２８】
本願の第６の発明は、前記制御手段が、前記複数の温度検出手段による検出温度データの最大値と所定の閾値温度データとを比較することによって、前記制御信号を生成することを特徴とする。
【００２９】
本願の第７の発明は、前記制御手段が、前記複数の温度検出手段による検出温度データの最小値と所定の閾値温度データとを比較することによって、前記制御信号を生成することを特徴とする。
【００３０】
本願の第８の発明は、前記制御手段が、前記複数の温度検出手段による検出温度データの最大度数データと所定の閾値温度データとを比較することによって、前記制御信号を生成することを特徴とする。
【００３１】
本願の第９の発明は、前記制御手段が、前記複数の温度検出手段による検出温度データの加重平均値と所定の閾値温度データとを比較することによって、前記制御信号を生成することを特徴とする。
【００３２】
本願の第１０の発明は、前記入力画像信号の特徴量を検出する特徴量検出手段を設け、前記制御手段が、前記特徴量検出手段により検出された特徴量に基づいて、前記複数の温度検出手段による検出温度データの加重平均値を求めることを特徴とする。
【００３３】
本願の第１１の発明は、当該装置の設置状態を検出する設置状態検出手段を設け、前記制御手段が、前記設置状態検出手段により検出された設置状態に基づいて、前記複数の温度検出手段による検出温度データの加重平均値を求めることを特徴とする。
【００３４】
本願の第１２の発明は、ユーザによる指示入力を検出するユーザ指示検出手段を設け、前記制御手段が、前記ユーザ指示検出手段により検出されたユーザ指示に基づいて、前記複数の温度検出手段による検出温度データの加重平均値を求めることを特徴とする。
【００３５】
本願の第１３の発明は、前記制御手段が、前記複数の温度検出手段による検出温度データから抽出した所定の温度検出手段による検出温度データと所定の閾値温度データとを比較することによって、前記制御信号を生成することを特徴とする。
【００３６】
本願の第１４の発明は、前記入力画像信号の特徴量を検出する特徴量検出手段を設け、前記制御手段が、前記特徴量検出手段により検出された特徴量に基づいて、前記複数の温度検出手段による検出温度データから、所定の温度検出手段による検出温度データのみを抽出することを特徴とする。
【００３７】
本願の第１５の発明は、当該装置の設置状態を検出する設置状態検出手段を設け、前記制御手段が、前記設置状態検出手段により検出された設置状態に基づいて、前記複数の温度検出手段による検出温度データから、所定の温度検出手段による検出温度データのみを抽出することを特徴とする。
【００３８】
本願の第１６の発明は、ユーザによる指示入力を検出するユーザ指示検出手段を設け、前記制御手段が、前記ユーザ指示検出手段により検出されたユーザ指示に基づいて、前記複数の温度検出手段による検出温度データから、所定の温度検出手段による検出温度データのみを抽出することを特徴とする。
【００３９】
本願の第１７の発明は、前記温度検出手段が、任意の数の温度センサーによる検出温度に所定の演算を施すことによって、前記液晶表示パネルの複数領域の各々における温度を求めることを特徴とする。
【００４０】
本願の第１８の発明は、前記温度検出手段が、当該装置の電源投入後の経過時間に応じて、前記温度センサーによる検出温度に施す演算を可変することを特徴とする。
【００４１】
本願の第１９の発明は、前記温度検出手段が、当該装置内外の温度に応じて、前記温度センサーによる検出温度に施す演算を可変することを特徴とする。
【００４２】
すなわち、本発明の液晶表示装置によれば、液晶表示パネルの複数領域の各々に対応した複数の検出温度データに対して所定の演算を施すことにより、液晶表示パネルの面内温度分布を考慮した制御信号を生成することができる。そして、この制御信号に基づいて、入力画像信号に対する強調変換処理を施すため、液晶表示パネルの面内温度分布が発生する状態においても、液晶表示パネルの光学応答特性を適切に補償して、表示画像の画質劣化を防止することが可能となる。
【００４３】
【発明の実施の形態】
以下、本発明の第１実施形態を、図１乃至図６とともに詳細に説明するが、上記従来例と同一部分には同一符号を付し、その説明は省略する。ここで、図１は本実施形態の液晶表示装置における要部概略構成を示すブロック図、図２は本実施形態の液晶表示装置における温度センサーの液晶表示パネルに対する配置（相対位置関係）例を示す説明図、図３は本実施形態の液晶表示装置における検出温度と強調変換パラメータとの関係を示す説明図である。
【００４４】
また、図４は本実施形態の液晶表示装置において用いるＯＳテーブルメモリのテーブル内容例を示す概略説明図、図５は本実施形態の液晶表示装置における制御ＣＰＵの概略構成を示す機能ブロック図、図６は本実施形態の液晶表示装置における検出温度の度数分布例を示すヒストグラムである。
【００４５】
本実施形態の液晶表示装置は、図１に示すように、液晶表示パネル４を例えば４つの画面領域に均等分割した各々の分割領域Ａ〜Ｄに対向する位置に、各分割領域Ａ〜Ｄのパネル温度を検出する４つの温度センサー１６ａ〜１６ｄを設けている。
【００４６】
ここで、温度センサー１６ａ〜１６ｄは、図２（ａ）に示すように、液晶表示パネル４の四隅部分に対向する位置に設けても良いが、液晶表示パネル４の各分割領域Ａ〜Ｄにおける平均的な温度を検出するためには、図２（ｂ）に示すように、各分割領域Ａ〜Ｄの中央部分に対向する位置に設ける方が望ましい。尚、液晶表示パネル４の領域分割数は４に限らず、均等または不均等な任意のＭ個（Ｍ≧２）の領域に分割して、それぞれの分割領域に対応するＭ個の温度センサーを設けて構成しても良いことは言うまでもない。
【００４７】
また、書込階調決定手段として、液晶表示パネル４の各温度範囲に対応した強調変換パラメータLEVEL 0〜LEVEL 2がそれぞれ格納された複数のＯＳテーブルメモリ（ＲＯＭ）３ａ〜３ｃと、該ＯＳテーブルメモリ（ＲＯＭ）３ａ〜３ｃのいずれかを参照して、フレームメモリ１に格納されている１フレーム前の画像信号（Previous Data）と現フレームの画像信号（Current Data）との組み合わせ（階調遷移）から対応する強調変換パラメータを読み出し、入力画像信号に対して液晶表示パネル４の光学応答特性を補償する強調変換信号を決定するための強調変換部２２とを備えている。
【００４８】
尚、本実施形態においては、説明を簡略化するため、図３に示すように、液晶表示パネル４の検出温度が第１の閾値温度Threash 0より低い場合に用いる強調変換パラメータLEVEL 0が格納されたＯＳテーブルメモリ（ＲＯＭ）３ａと、液晶表示パネル４の検出温度が第１の閾値温度Threash 0と第２の閾値温度Threash1との間にある場合に用いる強調変換パラメータLEVEL 1が格納されたＯＳテーブルメモリ（ＲＯＭ）３ｂと、液晶表示パネル４の検出温度が第２の閾値温度Threash 1より高い場合に用いる強調変換パラメータLEVEL 2が格納されたＯＳテーブルメモリ（ＲＯＭ）３ｃとの３種類のＲＯＭを設け、これらを切り替えて参照することにより、オーバーシュート駆動を行うものについて説明するが、４以上の予め定められた温度範囲のそれぞれに対応した４種類以上のＲＯＭを設けて構成しても良いことは言うまでもない。
【００４９】
また、図４に示したものは、表示信号レベル数すなわち表示データ数が８ビットの２５６階調である場合において、３２階調毎の代表階調遷移パターンについての強調変換パラメータ（実測値）を９×９のマトリクス状に記憶し、代表階調以外の階調を持つ画像信号に対しては、該強調変換パラメータ（実測値）を用いて補間演算することで強調変換信号（書込階調信号）を求める構成としているが、これに限られないことは明らかである。
【００５０】
さらに、本実施形態においては、上記温度センサー１６ａ〜１６ｄで検出された液晶表示パネル４の複数領域Ａ〜Ｄにおける温度データに基づいて、上記ＯＳテーブルメモリ３ａ〜３ｃを適宜切り替え選択するための制御ＣＰＵ１７を備えている。
【００５１】
この制御ＣＰＵ１７は、図５に示すように、各温度センサー１６ａ〜１６ｄにより検出された温度データａ〜ｄに対して所定の演算を施す演算部１７ａと、該演算部１７ａによる演算出力データと予め定められた閾値温度データThreash 0，Threash 1とを比較判別する閾値判別部１７ｂと、該閾値判別部１７ｂによる比較結果に応じて、ＯＳテーブルメモリ（ＲＯＭ）３ａ〜３ｃのいずれかを選択し、強調変換パラメータLEVEL 0〜LEVEL 2を切り替えるための切替制御信号を生成する制御信号出力部１７ｃとを有している。
【００５２】
ここで、例えば装置内の検出温度が不安定であったり、ノイズの影響を受けるなどして、演算部１７ａによる演算出力が激しく変動（乱昇降）する場合であっても、これに追従してＯＳテーブルメモリ３ａ〜３ｃが頻繁に切り替わり、ちらつきの発生などの画質劣化が発生するのを防止するため、上述の強調変換パラメータの切替動作にヒステリシスを持たせるようにしても良い。
【００５３】
例えば、検出温度の上昇時と下降時とで閾値温度データを±α（調節感度＝２α）する、或いは、固定の閾値温度より上昇又は下降した検出温度が所定回数以上連続して取得された場合に、該検出温度に対応した強調変換パラメータを切替選択するための切替制御信号を出力するなどによって、ＯＳテーブルメモリ３ａ〜３ｃの切替制御を安定的に行うことが可能となる。
【００５４】
上記のように構成してなる液晶表示装置においては、温度センサー１６ａ〜１６ｄのそれぞれで検出された検出温度データａ〜ｄに基づいて、画面（フレーム）単位で強調変換パラメータを切り替えるための単一の切替制御信号が生成され、この切替制御信号に応じて、ＯＳテーブルメモリ（ＲＯＭ）３ａ〜３ｃのいずれかが切替選択される。
【００５５】
そして、選択されたＯＳテーブルメモリ（ＲＯＭ）３ａ〜３ｃのいずれかを参照して、入力画像信号の１フレーム期間前後における階調遷移の組み合わせに対応する強調変換パラメータLEVEL 0〜LEVEL 2を読み出し、この強調変換パラメータLEVEL 0〜LEVEL 2を用いて、線形補間等の演算を行うことにより、すべての階調遷移パターンにおいて入力階調信号に対する強調変換信号を求め、これを書込階調信号として液晶表示パネル４に供給する。
【００５６】
次に、本実施形態では、発熱部材の配置位置や当該装置の設置状態などにより液晶表示パネル４に発生する面内温度分布に対応して、適切な強調変換パラメータLEVEL 0〜LEVEL 2を選択可能とするために、温度センサー１６ａ〜１６ｄにより検出された温度データａ〜ｄに対し、制御ＣＰＵ１７の演算部１７ａで以下のような演算を施すことによって、強調変換パラメータLEVEL 0〜LEVEL 2を切り替えるための切替制御信号を求めている。
【００５７】
（１）平均値
温度センサー１６ａ〜１６ｄによる検出温度データａ〜ｄの平均値を求め、これを閾値温度データThreash 0，Threash 1と比較判別することによって、強調変換パラメータLEVEL 0〜LEVEL 2を切り替えるための切替制御信号を生成する。このように、検出温度データａ〜ｄの平均値を用いて、強調変換パラメータLEVEL 0〜LEVEL 2の切替制御を行うことにより、液晶表示パネル４に局所的な著しい温度分布が発生している場合であっても、画面全体に対して適切な強調変換パラメータを選択することが可能となる。
【００５８】
（２）最大値
温度センサー１６ａ〜１６ｄによる検出温度データａ〜ｄの最大値を求め、これを閾値温度データThreash 0，Threash 1と比較判別することによって、強調変換パラメータLEVEL 0〜LEVEL 2を切り替えるための切替制御信号を生成する。このように、検出温度データａ〜ｄの最大値を用いて、強調変換パラメータLEVEL 0〜LEVEL 2の切替制御を行うことにより、液晶表示パネル４に局所的な低温部分が発生している場合であっても、過大な強調変換パラメータを選択することによる白点化（ノーマリーブラックモードの場合）などの発生を防止することが可能となる。
【００５９】
（３）最小値
温度センサー１６ａ〜１６ｄによる検出温度データａ〜ｄの最小値を求め、これを閾値温度データThreash 0，Threash 1と比較判別することによって、強調変換パラメータLEVEL 0〜LEVEL 2を切り替えるための切替制御信号を生成する。このように、検出温度データａ〜ｄの最小値を用いて、強調変換パラメータLEVEL 0〜LEVEL 2の切替制御を行うことにより、液晶表示パネル４に局所的な高温部分が発生している場合であっても、過小な強調変換パラメータを選択することによる黒尾引き（ノーマリーブラックモードの場合）などの発生を防止することが可能となる。
【００６０】
（４）ヒストグラム（多数決）
温度センサー１６ａ〜１６ｄによる検出温度データａ〜ｄの閾値温度データThreash 0，Threash 1に対する頻度分布（ヒストグラム）を求め、最も頻度が高いすなわち最大度数の温度データに基づいて、強調変換パラメータLEVEL 0〜LEVEL2を切り替えるための切替制御信号を生成する。例えば図６に示すように、検出温度データａ〜ｄが第１の閾値温度Threash 0と第２の閾値温度Threash 1との間に最も多く分布している場合、多数決の原理を利用して、強調変換パラメータLEVEL 1を選択すべく切替制御信号を出力する。
【００６１】
このように、検出温度データａ〜ｄのヒストグラムを求め、最大度数の温度データを用いて、強調変換パラメータLEVEL 0〜LEVEL 2の切替制御を行うことにより、最も多くの画面領域で検出された温度に対応した切替制御信号を生成することができるため、液晶表示パネル４に局所的な温度分布が発生している場合であっても、より多くの画面領域において最適な強調変換パラメータを選択することが可能となる。
【００６２】
（５）加重平均値
温度センサー１６ａ〜１６ｄによる検出温度データａ〜ｄのそれぞれに所定の重み係数ｌ〜ｏを乗算した上で総和（ａ×ｌ＋ｂ×ｍ＋ｃ×ｎ＋ｄ×ｏ）を算出し、これを重み係数の和（ｌ＋ｍ＋ｎ＋ｏ）で除算することによって加重平均値を求め、これを閾値温度データThreash 0，Threash 1と比較判別することによって、強調変換パラメータLEVEL 0〜LEVEL 2を切り替えるための切替制御信号を生成する。
【００６３】
このように、検出温度データａ〜ｄの加重平均値を用いて、強調変換パラメータLEVEL 0〜LEVEL 2の切替制御を行うことにより、液晶表示パネル４に局所的な温度分布が発生している場合であっても、所望の画面領域に対応した適切な強調変換パラメータを選択することが可能となる。
【００６４】
ここで、上述の重み係数ｌ〜ｏは、入力画像信号の特徴量や当該装置の設置状態などの各種条件に応じて可変設定されるようにしても良いし、また、ユーザが任意に設定できるように構成しても良い。さらに、注目画像は画面中央部分に表示されるという前提において、画面中央における検出温度データに対する重み係数を他より大きくするようにしても良い。
【００６５】
（６）選択抽出
温度センサー１６ａ〜１６ｄによる検出温度データａ〜ｄから所定の温度センサーによる検出温度データのみを選択して抽出し、これを閾値温度データThreash 0，Threash 1と比較判別することによって、強調変換パラメータLEVEL 0〜LEVEL 2を切り替えるための切替制御信号を生成する。
【００６６】
このように、検出温度データａ〜ｄのうちの一部データのみを用いて、強調変換パラメータLEVEL 0〜LEVEL 2の切替制御を行うことにより、液晶表示パネル４に局所的な温度分布が発生している場合であっても、所望の画面領域に対応した適切な強調変換パラメータを選択することが可能となる。
【００６７】
ここで、温度センサー１６ａ〜１６ｄのうち、いずれの温度センサーによる検出温度データを選択抽出するかは、入力画像信号の特徴量や当該装置の設置状態などの各種条件に応じて切換設定されるようにしても良いし、また、ユーザが任意に設定できるように構成しても良い。
【００６８】
また、入力画像信号の特徴量や当該装置の設置状態などの各種条件に応じて、或いは、ユーザによる入力指示に基づいて、上述の（１）〜（６）の演算手法を適宜切り換えて選択するようにしたり、適宜組み合わせることで、強調変換パラメータの切替制御信号を求めるようにしても良いことは言うまでもない。
【００６９】
以上のとおり、本実施形態の液晶表示装置においては、液晶表示パネル４の複数の面内位置における温度を検出する温度センサー１６ａ〜１６ｄを設け、これら温度センサー１６ａ〜１６ｄによる検出温度データに対して所定の演算を施すことにより、各温度範囲に対応した複数の強調変換パラメータを切替選択するための切替制御信号を生成しているので、液晶表示パネル４に温度分布が発生している場合であっても、常に適切な強調変換パラメータを選択することが可能となり、白点の発生や黒尾引きの発生等を抑制して、表示画像の画質劣化を防止することができる。
【００７０】
尚、上述した第１実施形態においては、強調変換部２とＯＳテーブルメモリ（ＲＯＭ）３ａ〜３ｃとで書込階調決定手段を構成しているが、ＯＳテーブルメモリ（ＲＯＭ）を設ける代わりに、例えば遷移前の階調と遷移後の階調とを変数とする２次元関数ｆ（pre，cur）により、液晶表示パネル４の光学応答特性を補償する強調変換信号（書込階調信号）を求める構成としても良い。
【００７１】
次に、本発明の第２実施形態について、図７及び図８とともに詳細に説明するが、上述した第１実施形態と同一部分には同一符号を付し、その説明は省略する。ここで、図７は本実施形態の液晶表示装置における温度センサーの液晶表示パネルに対する配置（相対位置関係）例を示す説明図、図８は本実施形態の液晶表示装置における制御ＣＰＵの概略構成を示す機能ブロック図である。
【００７２】
本実施形態の液晶表示装置においては、４つの温度センサー１６ｅ〜１６ｈを、図７に示すように、液晶表示パネル４の各分割領域Ａ〜Ｄの境界部分に対向する位置に設け、各分割領域Ａ〜Ｄに近接する位置にある２つの温度センサー１６ｅ〜１６ｈによる温度検出データｅ〜ｈを平均化演算することによって、液晶表示パネル４の各分割領域Ａ〜Ｄの温度を検出する構成としている。
【００７３】
すなわち、本実施形態の制御ＣＰＵ２７は、図８に示すように、各温度センサー１６ｅ〜１６ｈにより検出された温度データｅ〜ｈから、液晶表示パネル４の分割領域Ａにおける温度データとして、温度センサー１６ｅ，１６ｇによる温度検出データｅ，ｇの平均値を、液晶表示パネル４の分割領域Ｂにおける温度データとして、温度センサー１６ｅ，１６ｆによる温度検出データｅ，ｆの平均値を、液晶表示パネル４の分割領域Ｃにおける温度データとして、温度センサー１６ｇ，１６ｈによる温度検出データｇ，ｈの平均値を、液晶表示パネル４の分割領域Ｄにおける温度データとして、温度センサー１６ｆ，１６ｈによる温度検出データｆ，ｈの平均値をそれぞれ演算して出力する演算部２７ｄを有している。
【００７４】
また、上記演算部２７ｄより出力された温度データに対して所定の演算を施す演算部２７ａと、該演算部２７ａによる演算出力データと予め定められた閾値温度データThreash 0，Threash 1とを比較判別する閾値判別部２７ｂと、該閾値判別部２７ｂによる比較結果に応じて、ＯＳテーブルメモリ（ＲＯＭ）３ａ〜３ｃのいずれかを選択し、強調変換パラメータLEVEL 0〜LEVEL 2を切り替えるための切替制御信号を生成する制御信号出力部２７ｃとを有している。
【００７５】
このように、液晶表示パネル４の各分割領域Ａ〜Ｄに近接した２箇所のセンサー出力温度を平均値演算し、各分割領域Ａ〜Ｄの温度を検出することによって、上記第１実施形態と同数の温度センサーにより、精度の高い各分割領域Ａ〜Ｄの温度検出が可能となる。
【００７６】
そして、この各分割領域Ａ〜Ｄにおける検出温度データに対して上記第１実施形態で述べたような各種演算を施すことで、各温度範囲に対応した複数の強調変換パラメータを切替選択するための切替制御信号を生成しているので、液晶表示パネル４に温度分布が発生している場合であっても、常に適切な強調変換パラメータを選択することが可能となり、白点の発生や黒尾引きの発生等を抑制して、表示画像の画質劣化を防止することができる。
【００７７】
尚、本実施形態においては、液晶表示パネル４の領域分割数と同数の温度センサー１６ｅ〜１６ｈを設けているが、温度センサー１６の数を増やす程、各分割領域Ａ〜Ｄの温度検出精度を高くすることができ、適当な位置に温度センサーを追加して設けても良いことは言うまでもない。また、各温度センサーによる検出温度の単純平均に限らず、例えば予め定められた重み係数を用いて各温度センサーによる検出温度に対して加重平均演算を施すことで、液晶表示パネル４の各分割領域の温度を検出するようにしても良い。
【００７８】
さらに、上述した実施形態においては、温度センサー１６ｅ〜１６ｈにより検出された温度データｅ〜ｈから、演算部２７ｄにて各分割領域Ａ〜Ｄに対応した４つの代表温度データを演算検出し、演算部２７ａに出力しているが、温度データｅ〜ｈを加えた８つの検出温度データを演算部２７ａに出力し、該演算部２７ａで所定の演算を施すようにしても良い。
【００７９】
次に、本発明の第３実施形態について、図９乃至図１１とともに詳細に説明するが、上述した第１実施形態と同一部分には同一符号を付し、その説明は省略する。ここで、図９は本実施形態の液晶表示装置における温度センサーの液晶表示パネルに対する配置（相対位置関係）例を示す説明図、図１０は本実施形態の液晶表示装置における制御ＣＰＵの概略構成を示す機能ブロック図、図１１は温度センサーによる検出温度及び液晶表示パネル面の温度と電源投入後の経過時間との関係例を示す説明図である。
【００８０】
本実施形態の液晶表示装置においては、単一の温度センサー１６ｉを、図９に示すように、液晶表示パネル４の中央部分に対向する位置に設け、該温度センサー１６ｉによる温度検出データｉに対して予め決められた所定の値を加減算する等の演算を施すことにより、液晶表示パネル４の各分割領域Ａ〜Ｄの温度を検出する構成としている。
【００８１】
すなわち、本実施形態の制御ＣＰＵ３７は、図１０に示すように、温度センサー１６ｉにより検出された温度データｉから、液晶表示パネル４の分割領域Ａにおける温度データとして、温度センサー１６ｉによる温度検出データｉに所定値ｔａを加算したものを、液晶表示パネル４の分割領域Ｂにおける温度データとして、温度センサー１６ｉによる温度検出データｉに所定値ｔｂを加算したものを、液晶表示パネル４の分割領域Ｃにおける温度データとして、温度センサー１６ｉによる温度検出データｉに所定値ｔｃを加算したものを、液晶表示パネル４の分割領域Ｄにおける温度データとして、温度センサー１６ｉによる温度検出データｉに所定値ｔｄを加算したものをそれぞれ演算して出力する演算部３７ｄを有している。
【００８２】
また、上記演算部３７ｄより出力された温度データに対して所定の演算を施す演算部３７ａと、該演算部３７ａによる演算出力データと予め定められた閾値温度データThreash 0，Threash 1とを比較判別する閾値判別部３７ｂと、該閾値判別部３７ｂによる比較結果に応じて、ＯＳテーブルメモリ（ＲＯＭ）３ａ〜３ｃのいずれかを選択し、強調変換パラメータLEVEL 0〜LEVEL 2を切り替えるための切替制御信号を生成する制御信号出力部３７ｃとを有している。
【００８３】
このように、任意の位置に設けられた単一のセンサー出力温度に所定の演算（加減算）を施し、各分割領域Ａ〜Ｄの温度を検出することによって、温度センサーの数を抑制しつつ、液晶表示パネル４の各分割領域Ａ〜Ｄの温度検出が可能となる。
【００８４】
そして、この各分割領域Ａ〜Ｄにおける検出温度データに対して上記第１実施形態で述べたような各種演算を施すことで、各温度範囲に対応した複数の強調変換パラメータを切替選択するための切替制御信号を生成しているので、液晶表示パネル４に温度分布が発生している場合であっても、常に適切な強調変換パラメータを選択することが可能となり、白点の発生や黒尾引きの発生等を抑制して、表示画像の画質劣化を防止することができる。
【００８５】
ここで、例えば図１１に示すように、温度センサー１６ｉによる検出温度の上昇カーブと、液晶表示パネル４の各分割領域Ａ〜Ｄにおける実際の温度の上昇カーブとは異なっており、電源投入後の経過時間に伴って、温度センサー１６ｉによる検出温度と、液晶表示パネル４の各分割領域Ａ〜Ｄにおける実際の温度との格差が変化する。この温度格差は、電源投入後、ある時間（図１１の例では約４０分）が経過するまでは、経過時間に伴って大きくなる。
【００８６】
従って、当該装置の電源投入後の経過時間をカウントし、この電源投入後の経過時間に応じて、温度検出データｉに施す演算量ｔａ〜ｔｄをそれぞれ独立して可変する（電源投入当初はｔａ〜ｔｄ＝０とする）ことにより、常に適切な強調変換パラメータLEVEL 0〜LEVEL 2の切替制御を行うことが可能となり、高画質の画像表示を実現することができる。
【００８７】
但し、これは電源投入時における温度センサー１６ｉの検出温度と液晶表示パネル４の各分割領域Ａ〜Ｄにおける実際の温度とが一致していることを前提としている。例えば長時間視聴した装置を一旦電源オフした後、すぐにまた電源オンした場合などは、温度センサー１６ｉの検出温度に含まれる、液晶表示パネル４の各分割領域Ａ〜Ｄにおける実際の温度との格差を正しく補正することができず、最適な強調変換パラメータを切替選択することができない可能性もある。
【００８８】
このため、直前の電源停止時刻或いは電源停止後経過時間、及び該電源停止時の演算量ｔａ〜ｔｄを記憶しておき、これらを用いて電源投入時における温度センサー１６ｉの検出温度と液晶表示パネル４の各分割領域Ａ〜Ｄにおける実際の温度との差を推測することにより、適切な演算量ｔａ〜ｔｄを用いて、温度センサー１６ｉの検出温度データｉに演算処理を施すようにしても良い。
【００８９】
また、周囲温度（装置外温度）を検出する温度センサーを別途設け、温度センサー１６ｉによる装置内の検出温度と周囲温度（装置外温度）とに応じて演算量ｔａ〜ｔｄを決定し、温度センサー１６ｉによる温度検出データｉに対して加減算することにより、液晶表示パネル４の各分割領域Ａ〜Ｄにおける温度を検出する構成としても良い。
【００９０】
すなわち、当該装置外の周囲温度毎に、温度センサー１６ｉの装置内検出温度に対する、液晶表示パネル４の各分割領域Ａ〜Ｄにおける実際の温度（実測値）を予めパターン（相関データ）化しておくことで、温度センサー１６ｉにより検出された温度データｉに含まれる、液晶表示パネル４の各分割領域Ａ〜Ｄにおける実際の温度に対する差を推定することができ、この温度差を補正する演算を行うことにより、常に適切な強調変換パラメータLEVEL 0〜LEVEL 2の切替制御を行うことが可能となり、高画質の画像表示を実現することができる。
【００９１】
尚、上記実施形態においては、単一の温度センサー１６ｉを設けたものについて説明したが、必要最小限の適当な位置に温度センサーを追加して設けても良いことは言うまでもない。この場合、複数の温度センサーによる温度検出データのそれぞれに対して、予め決められた所定の値を加減算することで、各分割領域Ａ〜Ｄの温度検出精度を高めることができる。
【００９２】
また、上述した実施形態においては、温度センサー１６ｉにより検出された温度データｉから、演算部３７ｄにて各分割領域Ａ〜Ｄに対応した４つの代表温度データを演算検出し、演算部３７ａに出力しているが、温度データｉを加えた５つの検出温度データを演算部３７ａに出力し、該演算部３７ａで所定の演算を施すようにしても良い。
【００９３】
次に、本発明の第４実施形態について、図１２とともに詳細に説明するが、上述した第１〜第３実施形態と同一部分には同一符号を付し、その説明は省略する。ここで、図１２は本実施形態の液晶表示装置における温度センサーの液晶表示パネルに対する配置（相対位置関係）例を示す説明図である。
【００９４】
本実施形態の液晶表示装置においては、図１２に示すように、液晶表示パネル４を不均等な領域Ａ〜Ｆに６分割し、液晶表示パネル４の分割領域Ａ，Ｅの境界部分に対向する位置に温度センサー１６ｊを設けるとともに、液晶表示パネル４の分割領域Ｄの中央部分に対向する位置に温度センサー１６ｋを設け、該温度センサー１６ｊ，１６kによる温度検出データｊ，kに対して所定の演算を施すことにより、液晶表示パネル４の各分割領域Ａ〜Ｆの温度を検出する構成としている。
【００９５】
すなわち、液晶表示パネル４の分割領域Ａにおける温度データとしては、温度センサー１６ｊによる温度検出データｊに所定値ｔａを加算したものを、液晶表示パネル４の分割領域Ｂにおける温度データとしては、温度センサー１６ｋによる温度検出データｋに所定値ｔｂを加算したものを、液晶表示パネル４の分割領域Ｃにおける温度データとしては、温度検出データｊと温度検出データｋとの平均値を、液晶表示パネル４の分割領域Ｄにおける温度データとしては、温度検出データｋをそのまま、液晶表示パネル４の分割領域Ｅにおける温度データとしては、温度検出データｊに所定値ｔｅを加算したものを、液晶表示パネル４の分割領域Ｆにおける温度データとしては、温度検出データＫに所定値ｔｆを加算したものをそれぞれ演算して出力する。
【００９６】
そして、上記演算出力された各分割領域Ａ〜Ｆに対応する温度検出データに対して上記第１実施形態で述べたような各種演算を施した上で、予め定められた閾値温度データThreash 0，Threash 1とを比較判別し、この比較結果に応じて、ＯＳテーブルメモリ（ＲＯＭ）３ａ〜３ｃのいずれかを選択し、強調変換パラメータLEVEL 0〜LEVEL 2を切り替えるための切替制御信号を生成する。
【００９７】
このように、液晶表示パネル４を任意の領域Ａ〜Ｆに分割するとともに、任意の位置に設けられた１以上のセンサー出力温度に所定の演算を施することによって、液晶表示パネル４の各分割領域Ａ〜Ｆの温度を効率良く且つ高精度に検出することができる。
【００９８】
また、この各分割領域Ａ〜Ｆにおける検出温度データに対して上記第１実施形態で述べたような各種演算を施すことで、各温度範囲に対応した複数の強調変換パラメータを切替選択するための切替制御信号を生成しているので、液晶表示パネル４に温度分布が発生している場合であっても、常に適切な強調変換パラメータを選択することが可能となり、白点の発生や黒尾引きの発生等を抑制して、表示画像の画質劣化を防止することができる。
【００９９】
次に、本発明の第５実施形態について、図１３及び図１４とともに詳細に説明するが、上述した第１実施形態と同一部分には同一符号を付し、その説明は省略する。ここで、図１３は本実施形態の液晶表示装置における要部概略構成を示すブロック図、図１４は本実施形態の液晶表示装置において用いるＯＳテーブルメモリのテーブル内容を示す概略説明図である。
【０１００】
本実施形態の液晶表示装置は、図１３に示すように、ＯＳテーブルメモリとして単一のＲＯＭ３ｄを備えており、このＲＯＭ３ｄを参照することで、強調変換部３２は入力画像信号に対して強調変換を施して、液晶表示パネル４に供給する書込階調信号（強調変換信号）を決定する構成としている。ここでは、ＯＳテーブルメモリ（ＲＯＭ）３ｄと、このＯＳテーブルメモリ（ＲＯＭ）３ｄ内の参照テーブル領域を制御ＣＰＵ１７からの制御信号に基づき切り替え参照して、書込階調信号を求める強調変換部３２とにより書込階調決定手段を構成している。
【０１０１】
このＯＳテーブルメモリ（ＲＯＭ）３ｄには、図１４に示すように、第１の閾値温度Threash 0以下で用いる強調変換パラメータLEVEL 0、第１の閾値温度Threash 0と第２の閾値温度Threash 1との間で用いる強調変換パラメータLEVEL 1、第２の閾値温度Threash 1以上で用いる強調変換パラメータLEVEL 2がそれぞれ個別のテーブル領域に格納されている。
【０１０２】
そして、これらの強調変換パラメータLEVEL 0〜LEVEL 2が記憶された各々の参照テーブル領域は、温度センサー１６ａ〜１６ｄにより検出された検出温度を基に求められた切替制御信号に応じて選択的に切り替えられて参照される。すなわち、制御ＣＰＵ１７からの切替制御信号に基づいて、ＯＳテーブルメモリ（ＲＯＭ）３ｄの参照するテーブル領域を切替選択するとともに、入力画像信号の１フレーム期間前後の階調遷移に応じて、選択されたテーブル領域の対応するアドレスを参照することにより、ここでは３種類の強調変換パラメータLEVEL 0〜LEVEL
2を選択的に切り替えて読み出すことが可能となっている。
【０１０３】
尚、本実施形態においても、４以上の予め定められた温度範囲のそれぞれに対応した４種類以上の強調変換パラメータを各参照テーブル領域に格納する構成としても良いことは言うまでもない。
【０１０４】
上記のように構成してなる液晶表示装置においては、複数の温度センサー１６ａ〜１６ｄのそれぞれで検出された検出温度データに対して所定の演算を施した上で、予め定められた閾値温度データThreash 0，Threash 1と比較することによって、ＯＳテーブルメモリ（ＲＯＭ）３ｄにおける参照テーブル領域のいずれかを切替選択するための切替制御信号を生成している。
【０１０５】
そして、このＯＳテーブルメモリ３ｄの選択された参照テーブル領域のいずれかを参照して、入力画像信号の１フレーム期間前後における階調遷移の組み合わせに対応する強調変換パラメータLEVEL 0〜LEVEL 2を読み出し、この強調変換パラメータを用いて、線形補間等の演算を行うことにより、すべての階調遷移パターンにおいて入力画像信号に対する強調変換信号を求め、書込階調信号として液晶表示パネル４に供給する。
【０１０６】
従って、上述の第１実施形態と同様、液晶表示パネル４に温度分布が発生している場合であっても、常に適切な強調変換パラメータを選択することが可能となり、これによって、液晶表示パネル４の光学応答特性を適切に補償し、白点の発生や黒尾引きの発生等を抑制して、表示画像の画質劣化を防止することができる。
【０１０７】
次に、本発明の第６実施形態について、図１５とともに詳細に説明するが、上述した第１実施形態と同一部分には同一符号を付し、その説明は省略する。ここで、図１５は本実施形態の液晶表示装置における書込階調決定手段を示すブロック図である。
【０１０８】
本実施形態の液晶表示装置は、図１５に示すように、書込階調決定手段として、例えばＯＳテーブルメモリ（ＲＯＭ）３から読み出した強調変換パラメータに基づいて強調変換信号を求める強調変換部２と、該強調変換部２で求めた強調変換信号から入力画像信号を減算する減算器２０と、該減算器２０の出力信号に重み係数ｋを積算する乗算器２１と、この乗算器２１の出力信号を入力画像信号に加算することにより、書込階調信号を得る加算器２２とを設けた構成とし、制御ＣＰＵ１７からの制御信号に基づいて、上記重み係数ｋの値を切替制御することにより、液晶表示パネル４に供給する書込階調信号を可変制御するようにしている。
【０１０９】
上記のように構成してなる液晶表示装置においては、温度センサー１６ａ〜１６ｄの検出温度データに対して、制御ＣＰＵ１７が所定の演算を施した上で、予め定められた閾値温度データThreash 0，Threash 1と比較することによって、乗算器２１の重み係数ｋを切替選択するための切替制御信号を生成している。この切替制御信号に基づいて乗算器２１の重み係数をｋ＝１±αに可変制御することにより、適切な強調変換処理を入力画像信号に施すことが可能となり、液晶表示パネル４の光学応答特性を適切に補償し、白点の発生や黒尾引きの発生等を抑制して、表示画像の画質劣化を防止することができる。
【０１１０】
次に、本発明の第７実施形態について、図１６とともに詳細に説明するが、上述した第１実施形態と同一部分には同一符号を付し、その説明は省略する。ここで、図１６は本実施形態の液晶表示装置における要部概略構成を示す機能ブロック図である。
【０１１１】
本実施形態の液晶表示装置は、図１６に示すように、入力画像信号の特徴量として、１フレーム期間前後の画像信号から入力画像信号の動き量を検出する動き検出部２４を設け、この動き検出結果に基づいて、制御ＣＰＵ１７の演算部１７ａにおける演算処理を可変制御する構成としている。
【０１１２】
すなわち、静止画像やあまり動きのない画像に対しては、液晶表示パネル４の温度に拘わらず、該液晶表示パネル４の光学応答特性による残像や尾引きなどの画質劣化が生じないため、動き検出部２４で所定以上の動き量が検出された入力画像信号に対して最適な強調変換処理が行なわれるよう、大きな動きを有する画像が表示される画面領域に対応した温度データのみを選択抽出する、或いは重み付けして加重平均を求めることによって、適切な強調変換パラメータLEVEL 0〜LEVEL 2を選択するための切替制御信号を生成する。
【０１１３】
例えば１６：９のワイドアスペクトを有する動画像を４：３の液晶表示パネルに表示する際、原画像を液晶表示パネル画面の中央部に表示するとともに、液晶表示パネルの上下端部に黒表示を行う（非映像部分に黒信号を書き込む）が、この場合、液晶表示パネルの画面中央部における映像表示領域（動画像表示領域）に対応した検出温度データのみを用いて強調変換パラメータLEVEL 0〜LEVEL 2の切替制御信号を生成し、上下端部の黒表示領域（静止画像表示領域）に対応した検出温度データは参照しないように選択（抽出）制御する。
【０１１４】
同様に、液晶表示パネルの画面中央部における映像表示領域（動画像表示領域）に対応した検出温度データに対する重み係数を大きくするとともに、上下端部の黒表示領域（静止画像表示領域）に対応した検出温度データに対する重み係数を小さくして、加重平均演算を行うことことにより、強調変換パラメータLEVEL 0〜LEVEL 2の切替制御信号を生成するようにしても良い。
【０１１５】
以上のように、本実施形態の液晶表示装置によれば、動きがある映像表示部分（画面領域）における検出温度データを用いて、適切な強調変換パラメータを切替選択し、これを用いて入力画像信号に対する強調変換を行っているので、画面全体でより確実に残像や尾引きの発生を抑制することが可能となる。
【０１１６】
尚、本実施形態においては、入力画像信号の特徴量の一例として、入力画像信号の動き量を用いたものについて説明したが、例えば入力画像信号に含まれるノイズ量やエッジ量、階調遷移パターンなどの表示画面領域毎の特徴に基づいて、１又は複数の適切な画面領域に対する検出温度データのみを選択抽出する、或いは重み付けすることにより、適切な強調変換パラメータを選択する構成としても良いことは言うまでもない。
【０１１７】
また、入力画像信号の特徴量の検出結果に基づき、上述した第１の実施形態における（１）〜（６）の演算アルゴリズムを適宜切換選択するようにしたり、適宜組み合わせて制御信号を求めることで、より適切な強調変換パラメータを切替選択するように構成しても良い。
【０１１８】
次に、本発明の第８実施形態について、図１７とともに詳細に説明するが、上述した第１実施形態と同一部分には同一符号を付し、その説明は省略する。ここで、図１７は本実施形態の液晶表示装置における要部概略構成を示す機能ブロック図である。
【０１１９】
本実施形態の液晶表示装置は、図１７に示すように、当該装置の設置状態を検知する手段として、液晶表示パネル４の上下反転状態を検知する上下反転センサー２５、及び液晶表示パネル４の面内回転状態を検知する面内回転センサー２６を設け、これらによる検出結果に基づいて、制御ＣＰＵ１７の演算部１７ａにおける演算処理を可変制御する構成としている。
【０１２０】
ここで、上下反転センサー２５は、図２４（ａ）に示した通常設置状態（スタンド設置状態）と図２４（ｂ）に示した上下反転設置状態（天井吊下げ状態）との状態変化を検出するものであり、面内回転センサー２６は、図２４（ａ）に示した通常設置状態（スタンド設置状態）と図２４（ｃ）に示した９０度回転設置状態（画面縦横切替状態）との状態変化を検出するものである。これらセンサー２５、２６は、それぞれ重力スイッチなどにより構成したり、或いはジャイロセンサーなどの方位センサーを共用して構成しても良い。
【０１２１】
すなわち、装置の設置状態が、通常設置状態（スタンド設置状態）から、上下反転設置状態（天井吊下げ状態）或いは９０度回転設置状態（画面縦横切替状態）に変化された場合、装置筐体内の熱気流の経路が変化して、液晶表示パネル４の温度分布も変化することとなる。その結果、適切な強調変換パラメータを読み出すことができず、不適切な強調変換信号を液晶表示パネル４に供給してしまい、残像や尾引きなどの画質劣化を招来する可能性がある。
【０１２２】
そこで、本実施形態の液晶表示装置においては、当該装置の設置状態に応じて、局所的な発熱部材等の影響を極力排除すべく、予め定められた所定の画面領域に対応した温度データのみを選択抽出する、或いは重み付けして加重平均を求めることによって、適切な強調変換パラメータLEVEL 0〜LEVEL 2を選択するための切替制御信号を生成する。
【０１２３】
すなわち、各装置設置状態によって、液晶表示パネル４の局所的な発熱部材等の影響を受けない画面領域に対応した検出温度データのみを用いて強調変換パラメータLEVEL 0〜LEVEL 2の切替制御信号を生成し、液晶表示パネル４の局所的な発熱部材等の影響を受ける画面領域に対応した検出温度データは参照しないように選択（抽出）制御する。
【０１２４】
或いは、各装置設置状態によって、液晶表示パネル４の局所的な発熱部材等の影響を受けない画面領域に対応した検出温度データに対する重み係数を大きくするとともに、液晶表示パネル４の局所的な発熱部材等の影響を受ける画面領域に対応した検出温度データに対する重み係数を小さくして、加重平均演算を行なうことで、強調変換パラメータLEVEL 0〜LEVEL 2の切替制御信号を生成するように構成している。
【０１２５】
以上のように、本実施形態の液晶表示装置によれば、当該装置の設置状態により発生する液晶表示パネルの温度分布に対応して、各画面領域における検出温度データに予め決められた所定の演算を施すことで、適切な強調変換パラメータを切替選択し、これを用いて入力画像信号に対する強調変換を行っているので、画面全体でより確実に残像や尾引きの発生を抑制することが可能となる。
【０１２６】
尚、本実施形態においても、当該装置の設置状態の検出結果に基づき、上述した第１の実施形態における（１）〜（６）の演算アルゴリズムを適宜切換選択するようにしたり、適宜組み合わせて制御信号を求めることで、より適切な強調変換パラメータを切替選択するように構成しても良い。
【０１２７】
次に、本発明の第９実施形態について、図１８とともに詳細に説明するが、上述した第１実施形態と同一部分には同一符号を付し、その説明は省略する。ここで、図１８は本実施形態の液晶表示装置における要部概略構成を示す機能ブロック図である。
【０１２８】
本実施形態の液晶表示装置は、図１８に示すように、図示しないリモートコントローラ（リモコン）を用いてユーザが指示入力した操作命令に対応したリモコン信号を受信するリモコン受光部２８を設け、このリモコン受光部２８で受信したユーザ指示内容に基づいて、制御ＣＰＵ１７の演算部１７ａにおける演算処理を可変制御する構成としている。
【０１２９】
すなわち、液晶表示パネル４の表示画面のうち、特にユーザが注目する画像が表示される画面領域において、該液晶表示パネル４の光学応答特性による残像や尾引きなどの画質劣化を抑制するために、この注目画像が表示される画面領域をユーザが指定することで、指定された画面領域に対応した温度データのみを選択抽出する、或いは重み付けして加重平均を求めることによって、適切な強調変換パラメータLEVEL 0〜LEVEL 2を選択するための切替制御信号を生成する。
【０１３０】
また、液晶表示パネル４の一部画面領域に、例えばエアコンの吹き出し風が直接当たったり、日だまりの直射日光が当たるような環境においては、これらの影響を極力排除すべく適当な画面領域をユーザが指定することで、所定の画面領域に対応した温度データのみを選択抽出する、或いは重み付けして加重平均を求めることも可能である。
【０１３１】
以上のように、本実施形態の液晶表示装置によれば、ユーザによる入力指示に応じた所定の画面領域における検出温度データを用いて、適切な強調変換パラメータを切替選択し、これを用いて入力画像信号に対する強調変換を行っているので、ユーザにとって残像や尾引きが抑制された高画質の画像表示を実現することができる。
【０１３２】
尚、本実施形態においても、ユーザによる指示入力の検出結果に基づき、上述した第１の実施形態における（１）〜（６）の演算アルゴリズムを適宜切換選択するようにしたり、適宜組み合わせて制御信号を求めることで、より適切な強調変換パラメータを切替選択するように構成しても良い。また、リモコン２８を用いてユーザ指示入力を行うものに限らず、装置本体に設けられた操作パネル部を用いてユーザ指示入力を行うようにしても良いことは言うまでもない。
【０１３３】
【発明の効果】
本発明の液晶表示装置は、上記のような構成としているので、液晶表示パネルの面内温度分布が発生する状態においても、入力画像信号に対し適切な強調変換処理を施すことができるので、表示画像の画質劣化を抑制することが可能となる。
【図面の簡単な説明】
【図１】本発明の液晶表示装置の第１実施形態における要部概略構成を示すブロック図である。
【図２】本発明の液晶表示装置の第１実施形態における温度センサーの液晶表示パネルに対する配置（相対位置関係）例を示す説明図である。
【図３】本発明の液晶表示装置の第１実施形態における検出温度と強調変換パラメータレベルとの関係を示す説明図である。
【図４】本発明の液晶表示装置の第１実施形態において用いるＯＳテーブルメモリのテーブル内容例を示す概略説明図である。
【図５】本発明の液晶表示装置の第１実施形態における制御ＣＰＵの概略構成を示す機能ブロック図である。
【図６】本発明の液晶表示装置の第１実施形態における検出温度の度数分布例を示すヒストグラムである。
【図７】本発明の液晶表示装置の第２実施形態における温度センサーの液晶表示パネルに対する配置（相対位置関係）例を示す説明図である。
【図８】本発明の液晶表示装置の第２実施形態における制御ＣＰＵの概略構成を示す機能ブロック図である。
【図９】本発明の液晶表示装置の第３実施形態における温度センサーの液晶表示パネルに対する配置（相対位置関係）例を示す説明図である。
【図１０】本発明の液晶表示装置の第３実施形態における制御ＣＰＵの概略構成を示す機能ブロック図である。
【図１１】温度センサーによる検出温度及び液晶表示パネル面の温度と電源投入後の経過時間との関係例を示す説明図である。
【図１２】本発明の液晶表示装置の第４実施形態における温度センサーの液晶表示パネルに対する配置（相対位置関係）例を示す説明図である。
【図１３】本発明の液晶表示装置の第５実施形態における要部概略構成を示すブロック図である。
【図１４】本発明の液晶表示装置の第５実施形態において用いるＯＳテーブルメモリのテーブル内容を示す概略説明図である。
【図１５】本発明の液晶表示装置の第６実施形態における書込階調手段の構成例を示すブロック図である。
【図１６】本発明の液晶表示装置の第７実施形態における要部概略構成を示す機能ブロック図である。
【図１７】本発明の液晶表示装置の第７実施形態における要部概略構成を示す機能ブロック図である。
【図１８】本発明の液晶表示装置の第８実施形態における要部概略構成を示す機能ブロック図である。
【図１９】従来の液晶表示装置におけるオーバーシュート駆動回路の概略構成を示すブロック図である。
【図２０】オーバーシュート駆動回路に用いるＯＳテーブルメモリにおけるテーブル内容の一例を示す概略説明図である。
【図２１】液晶に加える電圧と液晶の応答との関係を示す説明図である。
【図２２】直下型バックライト方式の液晶表示装置の背面から見た概略構成例を示す説明図である。
【図２３】（ａ）コの字状の蛍光ランプを用いた直下型バックライト方式の液晶表示装置、（ｂ）Ｌ字状の蛍光ランプを用いたサイドエッジ型バックライト方式の液晶表示装置を示す概略説明図である。
【図２４】液晶表示装置の（ａ）通常設置状態、（ｂ）上下反転設置状態、（ｃ）９０度回転設置状態を示す説明図である。
【符号の説明】
１  フレームメモリ
２、２２、３２  強調変換部
３、３ａ〜３ｄ  ＯＳテーブルメモリ
４  液晶表示パネル
１６ａ〜１６ｄ  温度センサー
１７、２７、３７  制御ＣＰＵ
２０  減算器
２１  乗算器
２３  加算器
２４  動き検出部
２５  上下反転センサー
２６  面内回転センサー
２８  リモコン受光部
【図１】
2004163870.tif 000003
【図２】
2004163870.tif 000004
【図３】
2004163870.tif 000005
【図４】
2004163870.tif 000006
【図５】
2004163870.tif 000007
【図６】
2004163870.tif 000008
【図７】
2004163870.tif 000009
【図８】
2004163870.tif 000010
【図９】
2004163870.tif 000011
【図１０】
2004163870.tif 000012
【図１１】
2004163870.tif 000013
【図１２】
2004163870.tif 000014
【図１３】
2004163870.tif 000015
【図１４】
2004163870.tif 000016
【図１５】
2004163870.tif 000017
【図１６】
2004163870.tif 000018
【図１７】
2004163870.tif 000019
【図１８】
2004163870.tif 000020
【図１９】
2004163870.tif 000021
【図２０】
2004163870.tif 000022
【図２１】
2004163870.tif 000023
【図２２】
2004163870.tif 000024
【図２３】
2004163870.tif 000025
【図２４】
2004163870.tif 000026